【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
インクを吐出するための記録ヘッドを記録媒体に対して走査させて記録を行う記録装置であって、
前記記録ヘッドの走査と走査の間に前記記録媒体を搬送する搬送動作を行うための搬送ローラと、
該搬送ローラの所定の位置からＮ回（Ｎは２以上の整数）の前記搬送動作における搬送量の誤差を検出するための第１のパターン群と、前記所定の位置からＮ−１回の前記搬送動作における搬送量の誤差を検出するための第２のパターン群とを前記記録ヘッドに記録させる制御手段と、
前記第１のパターン群から検出される前記Ｎ回の搬送動作における搬送量の誤差および前記第２のパターン群から検出される前記Ｎ−１回の搬送動作における搬送量の誤差に基づいて、前記所定の位置からＮ−１回の搬送動作後の位置から前記所定の位置からＮ回の前記搬送動作後の位置までの搬送量の誤差を補正する補正手段とを備えることを特徴とする記録装置。
【請求項２】
前記第１、２のパターン群は、第１のパターンと第２のパターンとの前記搬送方向の相対的なずれ量がそれぞれ異なる複数のパターンが前記回転位置ごとに記録されるパターン群であることを特徴とする請求項１に記載の記録装置。
【請求項３】
前記第１のパターン群は、前記第１のパターンを記録する前記記録ヘッドの走査と前記第２のパターンを記録する前記記録ヘッドの走査との間にＮ回の前記搬送動作を介在させて記録される複数のパターンからなり、
前記第２のパターン群は、前記第１のパターンを記録する前記記録ヘッドの走査と前記第２のパターンを記録する前記記録ヘッドの走査との間にＮ−１回の前記搬送動作を介在させて記録される複数のパターンからなることを特徴とする請求項２に記載の記録装置。
【請求項４】
前記Ｎ回の搬送動作における搬送量の誤差および前記Ｎ−１回の搬送動作における搬送量の誤差を同一の回転位置について検出するための前記第１のパターン群の複数のパターンおよび前記第２のパターン群の複数のパターンは、前記記録ヘッドの第１の記録走査において記録される前記第１のパターン群の第１のパターン、前記第１の記録走査の次の第２の記録走査において記録される前記第２のパターン群の第１のパターン、および前記第２の記録走査からＮ−１回の前記搬送動作を行った後の第Ｎの記録走査において記録される前記第１、２のパターン群の第２のパターンとからなることを特徴とする請求項３に記載の記録装置。
【請求項５】
前記Ｎ回の搬送動作における搬送量の誤差および前記Ｎ−１回の搬送動作における搬送量の誤差を同一の回転位置について検出するための前記第１のパターン群の複数のパターンおよび前記第２のパターン群における複数のパターンは、前記記録ヘッドの第１の記録走査において記録される前記第１、２のパターン群の第１のパターン、前記第１の記録走査からＮ−１回の前記搬送動作を行った後の第Ｎ−１の記録走査において記録される前記第２のパターン群の第２のパターン、および前記第Ｎ−１の記録走査の次の第Ｎの記録走査において記録される前記第１のパターン群の第２のパターンとからなることを特徴とする請求項３に記載の記録装置。
【請求項６】
前記制御手段は、前記第１のパターンまたは第２のパターンを記録するときの前記記録ヘッドの使用範囲を複数のパターンそれぞれで異ならせることにより、前記第１のパターンと第２のパターンとを前記搬送方向の相対的なずれ量がそれぞれ異なる複数のパターンを記録させることを特徴とする請求項２ないし５のいずれかに記載の記録装置。
【請求項７】
前記補正手段は、サイン関数で近似された前記回転位置ごとの前記１回の搬送動作における搬送量の誤差を補正することを特徴とする請求項１ないし６のいずれかに記載の記録装置。
【請求項８】
前記第１、第２のパターン群の複数のパターンそれぞれの光学特性を測定する測定手段をさらに備え、
前記補正手段は、前記測定手段により測定された前記第１、第２のパターン群の複数のパターンそれぞれの光学特性を用いて、前記回転位置ごとの前記１回の搬送動作における搬送量の誤差を補正することを特徴とする請求項１ないし７のいずれかに記載の記録装置。
【請求項９】
インクを吐出するための記録ヘッドを記録媒体に対して走査させるとともに、前記記録ヘッドの走査と走査の間に搬送ローラにより前記記録媒体を搬送する搬送動作を行い、前記記録媒体に記録を行う記録装置における搬送動作の搬送量の補正方法であって、
前記搬送ローラの所定の位置からＮ回（Ｎは２以上の整数）の前記搬送動作における搬送量の誤差を検出するための第１のパターン群と、前記所定の位置からＮ−１回の前記搬送動作における搬送量の誤差を検出するための第２のパターン群とを前記記録ヘッドに記録させる工程と、
前記第１のパターン群から検出される前記Ｎ回の搬送動作における搬送量の誤差および前記第２のパターン群から検出される前記Ｎ−１回の搬送動作における搬送量の誤差に基づいて、前記所定の位置からＮ−１回の搬送動作後の位置から前記所定の位置からＮ回の前記搬送動作後の位置までの搬送量の誤差を補正する工程とを有することを特徴とする補正方法。
【手続補正２】
【補正対象書類名】明細書
【補正対象項目名】発明の名称
【補正方法】変更
【補正の内容】
【発明の名称】記録装置および補正方法
【手続補正３】
【補正対象書類名】明細書
【補正対象項目名】００１９
【補正方法】変更
【補正の内容】
【００１９】
本発明は、インクを吐出するための記録ヘッドを記録媒体に対して走査させて記録を行う記録装置であって、前記記録ヘッドの走査と走査の間に前記記録媒体を搬送する搬送動作を行うための搬送ローラと、該搬送ローラの所定の位置からＮ回（Ｎは２以上の整数）の前記搬送動作における搬送量の誤差を検出するための第１のパターン群と、前記所定の位置からＮ−１回の前記搬送動作における搬送量の誤差を検出するための第２のパターン群とを前記記録ヘッドに記録させる制御手段と、前記第１のパターン群から検出される前記Ｎ回の搬送動作における搬送量の誤差および前記第２のパターン群から検出される前記Ｎ−１回の搬送動作における搬送量の誤差に基づいて、前記所定の位置からＮ−１回の搬送動作後の位置から前記所定の位置からＮ回の前記搬送動作後の位置までの搬送量の誤差を補正する補正手段とを備えることを特徴とする。
【手続補正４】
【補正対象書類名】明細書
【補正対象項目名】００２０
【補正方法】変更
【補正の内容】
【００２０】
本発明は、インクを吐出するための記録ヘッドを記録媒体に対して走査させるとともに、前記記録ヘッドの走査と走査の間に搬送ローラにより前記記録媒体を搬送する搬送動作を行い、前記記録媒体に記録を行う記録装置における搬送動作の搬送量の補正方法であって、前記搬送ローラの所定の位置からＮ回（Ｎは２以上の整数）の前記搬送動作における搬送量の誤差を検出するための第１のパターン群と、前記所定の位置からＮ−１回の前記搬送動作における搬送量の誤差を検出するための第２のパターン群とを前記記録ヘッドに記録させる工程と、前記第１のパターン群から検出される前記Ｎ回の搬送動作における搬送量の誤差および前記第２のパターン群から検出される前記Ｎ−１回の搬送動作における搬送量の誤差に基づいて、前記所定の位置からＮ−１回の搬送動作後の位置から前記所定の位置からＮ回の前記搬送動作後の位置までの搬送量の誤差を補正する工程とを有することを特徴とする。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】